(57)【要約】【課題】設置場所の傾斜に自在に対応して踏板を設置することができるとともに、踏板の位置を自在に調節することができる階段構造物を提供する。【解決手段】梁材３と、前記梁材３に階段状に取付けられた複数の踏板５とを備え、前記梁材３は、その長手方向に沿って蟻溝状の踏板取付溝３２が形成され、前記踏板取付溝３２に沿って移動可能に前記踏板取付溝３２に挿入された締結部材である第二のボルトＢ２を介して、各踏板５が梁材３に取付けられるようにする。【選択図】        図１
2015143461.tif 000002
【特許請求の範囲】
【請求項１】
梁材と、前記梁材に階段状に取付けられた複数の踏板とを備え、前記梁材は、その長手方向に沿って蟻溝状の踏板取付溝が形成され、前記踏板取付溝に沿って移動可能に前記踏板取付溝に挿入された締結部材を介して、各踏板が梁材に取付けられていることを特徴とする階段構造物。
【請求項２】
前記梁材は、その長手方向に沿って蟻溝状の支柱取付溝が形成され、前記支柱取付溝に沿って移動可能に前記支柱取付溝に挿入された締結部材を介して、前記梁材に支柱が連結され、該支柱に前記梁材が支持されていることを特徴とする請求項１に記載の階段構造物。
【請求項３】
前記梁材は前記踏板取付溝が上面に形成され、前記各踏板はその裏面に長手方向に沿って踏板受け部が設けられ、前記踏板受け部はその下面が円弧状に膨らんで前記踏板の幅方向に延びる円弧面となされ、前記円弧面を梁材の上面に当接させて、前記踏板受け部が前記踏板取付溝に挿入された締結部材を介して前記梁材に取付けられていることを特徴とする請求項１または２に記載の階段構造物。
【請求項４】
前記梁材と交差する方向に桁材が配置され、前記桁材に前記支柱の上部が前記桁材の長手方向に沿って移動可能に連結され、前記桁材は、前記支柱取付溝に移動可能に挿入された前記締結部材を介して、前記梁材に連結されるとともに、前記梁材に対して前記桁材はその長手方向に沿って移動可能となされていることを特徴とする請求項２または請求項２を引用する請求項３に記載の階段構造物。
【請求項５】
前記桁材はその長手方向に沿って蟻溝状の支柱連結溝と連結金具連結溝とが形成され、前記支柱連結溝に移動可能に挿入された締結部材を介して、前記桁材に前記支柱の上部が前記桁材の長手方向に沿って移動可能に連結され、前記連結金具連結溝に移動可能に挿入された締結部材を介して、取付板部と連結板部とを備えた連結金具の前記連結板部が、前記桁材に前記桁材の長手方向に沿って移動可能に連結されるとともに、前記連結金具の前記取付板部が、前記支柱取付溝に移動可能に挿入された締結部材を介して、前記梁材に前記梁材の長手方向に沿って移動可能に取付けられていることを特徴とする請求項４に記載の階段構造物。
【請求項６】
前記支柱連結溝は前記桁材の側面に形成され、平面視がハット型の支柱取付金具の支柱保持部に前記支柱の上部側面が当接され保持されるとともに、前記支柱取付金具の取付板部が前記桁材の側面に当接され前記締結部材が取付けられて、前記支柱が前記桁材に移動可能に取付けられていることを特徴とする請求項４又は５に記載の階段構造物。
【請求項７】
前記梁材は、その長手方向に沿って蟻溝状の手摺支柱取付溝が形成され、前記手摺支柱取付溝に沿って移動可能に前記手摺支柱取付溝に挿入された締結部材を介して、前記梁材に手摺支柱が取付けられ、該手摺支柱に手摺が取付けられていることを特徴とする請求項１〜６のいずれか１項に記載の階段構造物。
【発明の詳細な説明】
【技術分野】
【０００１】
本発明は、傾斜地に設置される階段構造物に関するものである。
【背景技術】
【０００２】
傾斜地に設置される階段構造物としては、従来より様々なものが提案されている。
例えば特許文献１には、ＦＲＰ製の断面コ字型の一対の側板と、同じくＦＲＰ製の踏板と、前記側板に所定高さ毎に前記踏板を取り付けるための踏板固定枠とよりなり、前記側板の上下面には所定高さ間隔でボルト穴を形成し、前記踏板固定枠は、前記側板の内側面に当接する基板と、同基板に垂直に連設されて前記側板の上下面の前記ボルト穴と一致するボルト穴を設けた上取付部及び下取付部と、前記踏板の端部を所定角度で取り付けるための複数個のボルト穴とを備えている山道用階段である階段構造物が開示されている。（特許文献１）
【先行技術文献】
【特許文献】
【０００３】
【特許文献１】実用新案出願公告平５−２７３５号公報
【発明の概要】
【発明が解決しようとする課題】
【０００４】
しかしながら、上記階段構造物においては、踏板の端部を所定角度で取り付けるための複数個のボルト穴にボルトを挿通することで、踏板の角度調節を容易にしているものの、複数個のボルト穴で設定されている角度以外には、踏板を角度調節することができないと言う課題があった。
【０００５】
本発明は、設置場所の傾斜に自在に対応して踏板を設置することができるとともに、踏板の位置を自在に調節することができる階段構造物を提供せんとするものである。
【課題を解決するための手段】
【０００６】
上記目的を達成するために、本発明は次のような構成としている。
すなわち、本発明に係る階段構造物は、梁材と、前記梁材に階段状に取付けられた複数の踏板とを備え、前記梁材は、その長手方向に沿って蟻溝状の踏板取付溝が形成され、前記踏板取付溝に沿って移動可能に前記踏板取付溝に挿入された締結部材を介して、各踏板が梁材に取付けられていることを特徴とするものである。
【０００７】
また本発明に係る階段構造物は、前記梁材は、その長手方向に沿って蟻溝状の支柱取付溝が形成され、前記支柱取付溝に沿って移動可能に前記支柱取付溝に挿入された締結部材を介して、梁材に支柱が連結され、該支柱に梁材が支持されるようにしてもよい。
【０００８】
また本発明に係る階段構造物は、前記梁材は前記踏板取付溝が上面に形成され、前記各踏板はその裏面に長手方向に沿って踏板受け部が設けられ、前記踏板受け部はその下面が円弧状に膨らんで前記踏板の幅方向に延びる円弧面となされ、前記円弧面を梁材の上面に当接させて、前記踏板受け部が前記踏板取付溝に挿入された締結部材を介して梁材に取付けられるようにしてもよい。
【０００９】
また本発明に係る階段構造物は、前記梁材と交差する方向に桁材が配置され、前記桁材に支柱の上部が前記桁材の長手方向に沿って移動可能に連結され、前記桁材は、前記支柱取付溝に移動可能に挿入された前記締結部材を介して、梁材に連結されるとともに、前記梁材に対して前記桁材はその長手方向に沿って移動可能となされるようにしてもよい。
【００１０】
また本発明に係る階段構造物は、桁材はその長手方向に沿って蟻溝状の支柱連結溝と連結金具連結溝とが形成され、前記支柱連結溝に移動可能に挿入された締結部材を介して、前記桁材に支柱の上部が前記桁材の長手方向に沿って移動可能に連結され、前記連結金具連結溝に移動可能に挿入された締結部材を介して、取付板部と連結板部とを備えた連結金具の前記連結板部が、前記桁材に前記桁材の長手方向に沿って移動可能に連結されるとともに、前記連結金具の取付板部が、前記支柱取付溝に移動可能に挿入された締結部材を介して、前記梁材に前記梁材の長手方向に沿って移動可能に取付けられるようにしてもよい。
【００１１】
また本発明に係る階段構造物は、前記梁材は、その長手方向に沿って蟻溝状の手摺支柱取付溝が形成され、前記手摺支柱取付溝に沿って移動可能に前記手摺支柱取付溝に挿入された締結部材を介して、前記梁材に手摺支柱が取付けられ、該手摺支柱に手摺が取付けられるようにしてもよい。
【発明の効果】
【００１２】
本発明に係る階段構造物によれば、梁材と、前記梁材に階段状に取付けられた複数の踏板とを備え、前記梁材は、その長手方向に沿って蟻溝状の踏板取付溝が形成され、前記踏板取付溝に沿って移動可能に前記踏板取付溝に挿入された締結部材を介して、各踏板が梁材に取付けられているので、踏板の取付けに際して、踏板取付溝に沿って前記踏板の取付位置を自在に移動させることにより、梁材の長手方向の所望の位置に踏板を取付けることができる。
【００１３】
また本発明に係る階段構造物によれば、前記梁材は、その長手方向に沿って蟻溝状の支柱取付溝が形成され、前記支柱取付溝に沿って移動可能に前記支柱取付溝に挿入された締結部材を介して、梁材に支柱が連結され、該支柱に梁材が支持されているので、支柱の連結に際して、支柱取付溝に沿って支柱の連結位置を自在に移動させることにより、梁材の長手方向の所望の位置に支柱を取付けることができる。
【００１４】
また本発明に係る階段構造物によれば、前記梁材は前記踏板取付溝が上面に形成され、前記各踏板はその裏面に長手方向に沿って踏板受け部が設けられ、前記踏板受け部はその下面が円弧状に膨らんで前記踏板の幅方向に延びる円弧面となされ、前記円弧面を梁材の上面に当接させて、前記踏板受け部が前記踏板取付溝に挿入された締結部材を介して梁材に取付けられているので、設置場所の傾斜に合せて踏板受け部の円弧面と梁材との当接位置を円弧面に沿って移動させることにより、設置場所の傾斜に自在に対応して踏板を設置することができる。
【００１５】
また本発明に係る階段構造物によれば、前記梁材と交差する方向に桁材が配置され、前記桁材に支柱の上部が前記桁材の長手方向に沿って移動可能に連結され、前記桁材は、前記支柱取付溝に移動可能に挿入された前記締結部材を介して、梁材に連結されるとともに、前記梁材に対して前記桁材はその長手方向に沿って移動可能となされているので、桁材に対して支柱を自在に移動させることにより、桁材の長手方向の所望の位置に支柱を取付けることができるとともに、梁材を桁材に対して自在に移動させることにより、梁材の長手方向の所望の位置で梁材を桁材に取付けることができる。
【００１６】
また本発明に係る階段構造物によれば、桁材はその長手方向に沿って蟻溝状の支柱連結溝と連結金具連結溝とが形成され、前記支柱連結溝に移動可能に挿入された締結部材を介して、前記桁材に支柱の上部が前記桁材の長手方向に沿って移動可能に連結され、前記連結金具連結溝に移動可能に挿入された締結部材を介して、取付板部と連結板部とを備えた連結金具の前記連結板部が、前記桁材に前記桁材の長手方向に沿って移動可能に連結されるとともに、前記連結金具の取付板部が、前記支柱取付溝に移動可能に挿入された締結部材を介して、前記梁材に前記梁材の長手方向に沿って移動可能に取付けられているので、支柱連結溝に沿って支柱を自在に移動させることにより、桁材の長手方向の所望の位置に支柱を取付けることができるとともに、連結金具連結溝及び支柱取付溝に沿って前記連結金具を自在に移動させることにより、桁材の長手方向の所望の位置に梁材を取付けることができる。
【００１７】
また本発明に係る階段構造物によれば、前記梁材は、その長手方向に沿って蟻溝状の手摺支柱取付溝が形成され、前記手摺支柱取付溝に沿って移動可能に前記手摺支柱取付溝に挿入された締結部材を介して、前記梁材に手摺支柱が取付けられ、該手摺支柱に手摺が取付けられているので、手摺支柱取付溝に沿って手摺支柱を自在に移動させることにより、梁材の長手方向の所望の位置に手摺支柱を取付けることができる。
【図面の簡単な説明】
【００１８】
【図１】本発明に係る階段構造物の実施の一形態を示す正面図である。
【図２】図１の左側面図である。
【図３】図１の平面図である。
【図４】図１の一部省略の拡大図である。
【図５】図４の左側面図である。
【図６】図４の平面図である。
【図７】図４の底面図である。
【図８】図４の右側面図である。
【図９】本発明に係る階段構造物の実施の別の形態を示す左側面図である。
【図１０】図９の平面図である。
【図１１】本発明に係る階段構造物を傾斜の異なる設置面に設置する場合の説明図である。
【図１２】本発明に係る階段構造物の別の実施形態を示す、要部拡大の斜視図である。
【図１３】図１２に示す実施形態に用いられる支柱取付金具の、（ａ）正面図、（ｂ）平面図、（ｃ）側面図である。
【図１４】図１２に示す実施形態の梁材と手摺支柱との取付状態を示す、（ａ）右側面図、（ｂ）平面図、（ｃ）背面図である。
【発明を実施するための形態】
【００１９】
次に、本発明を実施するための形態について図面を参照し、具体的に説明する。
図面において、Ｐは本願発明に係る階段構造物であり、１は山や崖など傾斜を備えた設置面Ｇに立設された縦棒状の支柱、２は支柱１の上部に取付けられた桁材、３は前記桁材２の上側に桁材２と交差する方向に配置された梁材、４は桁材２と梁材３とを連結する連結金具、５は梁材３の上側に階段状に取付けられた複数の踏板、６は梁材３の上面に載置され、梁材３に踏板５を取付ける踏板取付金具、７は所定の間隔をあけて梁材３に取付けられた手摺支柱、８は手摺支柱７間に架け渡された棒状の手摺、９は手摺支柱７を梁材３に取付ける手摺支柱取付金具、１０は前記支柱１と桁材２とを連結する支柱取付金具である。
【００２０】
前記支柱１は、円筒形の鋼管からなる支柱本体１１と、支柱本体１１の上端を塞ぐ円板状の蓋部１２と、蓋部１２の下面に溶接により取付けられている第一のナットＮ１とを備えている。この支柱１は、設置面Ｇに支柱本体１１下部が埋設されて、設置面Ｇに立設されている。また、前記蓋部１２には、前記第一のナットＮ１のナット孔に対応する位置に、支柱１と桁材２とを連結する支柱取付金具１０を固定するための締結部材である第一のボルトＢ１を挿通する貫通孔が設けられている。
【００２１】
前記支柱取付金具１０は、水平な平板状の水平板部１０１とその一端部から上方に垂直に立設された垂直板部１０２とを備え、Ｌ字状に形成されている。そして、前記水平板部１０１と前記垂直板部１０２の中央には、それぞれ貫通孔が設けられており、前記水平板部１０１の貫通孔には、前記第一のボルトＢ１の雄ねじ部Ｂ１１を前記水平板部１０１の上方から挿入され、固定用ナットＮＫを雄ねじ部Ｂ１１にねじ込みボルト頭下面Ｂ１２と固定用ナットＮＫの上面とで前記水平板部１０１を挟み込み固定するようになされている。そして、前記雄ねじ部Ｂ１１を前記蓋部１２の貫通孔に挿通し、第一のナットＮ１に螺入して、前記支柱取付金具１０と前記支柱１の上部とが連結される。
【００２２】
前記桁材２は、断面が縦長の略長方形となされたアルミニウム合金製の押出形材からなり、各４面にその長手方向に沿って蟻溝が形成されている。それらの蟻溝のうち、下面に形成された下部蟻溝２１の開口部の幅は、前記第一のボルト頭Ｂ１２の幅より大きくなされ、前記支柱取付金具１０の水平板部１０１に桁材２の下面を載置した際、前記下部蟻溝２１内に前記第一のボルト頭Ｂ１２が収納される様になされ、桁材２の下面が水平板部１０１の上面に当接されるようになされている。
【００２３】
また、桁材２の両側面に設けられている２個の蟻溝状の支柱連結溝２２のうち、一方の支柱連結溝２２に、締結部材である第二のボルトＢ２のボルト頭Ｂ２１が移動可能に桁材２の端部から挿入され、第二のボルトＢ２の雄ねじ部Ｂ２２が前記支柱取付金具１０の垂直板部１０２に設けられた貫通孔に挿通され、第二のナットＮ２を前記雄ねじ部Ｂ２２に螺入して、前記垂直板部１０２と桁材２の側面とが当接されて、支柱１の上部と桁材２とが支柱取付金具１０により連結されている。
【００２４】
なお、上述の通り、第一のボルト頭Ｂ１２の幅が桁材２の下部蟻溝２１の幅より小さく形成されているので、桁材２の長手方向に沿って支柱１を移動させる際に、第一のボルト頭Ｂ１２が下部蟻溝２１に引っ掛かることなく、支柱１を自在に移動させることができる。そして、本実施形態においては、桁材２の両端部にそれぞれ支柱１が取付けられている。
【００２５】
前記連結金具４は、水平な平板状の連結板部４１と、該連結板部４１の一端部から上方に立設された取付板部４２とを備え、Ｌ字状に形成されている。そして、連結板部４１と取付板部４２の中央には、それぞれ貫通孔が設けられている。
【００２６】
前記桁材２の上面に長手方向に沿って形成されている連結金具連結溝２３には、締結部材である第三のボルトＢ３のボルト頭Ｂ３１が移動可能に桁材２の端部から挿入され、第三のボルトＢ３の雄ねじ部Ｂ３２が前記連結金具４の連結板部４１に設けられた貫通孔に挿通され、第三のナットＮ３を前記雄ねじ部Ｂ３２に螺入して、前記連結板部４１の下面と桁材２の上面とが当接されて、連結金具４が桁材２に連結されている。
【００２７】
前記梁材３も、前記桁材２と同じく、断面が縦長の略長方形となされたアルミニウム合金製の押出形材からなり、各４面にその長手方向に沿って蟻溝が形成されている。それらの蟻溝のうち、梁材３の両側面に相対して設けられている２個の蟻溝の内の内側に形成された蟻溝を支柱取付溝３１として、この支柱取付溝３１に、締結部材である第四のボルトＢ４のボルト頭Ｂ４１が移動可能に梁材３の端部から挿入され、第四のボルトＢ４の雄ねじ部Ｂ４２が前記連結金具４の取付板部４２に設けられた長孔状の貫通孔４２ａに挿通され、第四のナットＮ４を前記雄ねじ部Ｂ４２に螺入して、前記取付板部４２と梁材３の側面とが当接されて、桁材２と梁材３とが連結金具４により連結されている。
【００２８】
本実施形態においては、桁材２の両端部に桁材２に直交する様に並行して２本の梁材３が取付けられており、相対向する内側の支柱取付溝３１に第四のボルトＢ４が移動可能に挿入され、前記連結金具４が、前記支柱取付溝３１に移動可能に挿入された第四のボルトＢ４を介して、前記梁材３の長手方向に沿って移動可能に取付けられている。
【００２９】
また、梁材３の上面に形成された蟻溝である踏板取付溝３２には、締結部材である第六のボルトＢ６のボルト頭Ｂ６１が梁材３の端部から挿入され、第六のボルトＢ６の雄ねじ部Ｂ６２が前記踏板取付金具６の取付部６２に設けられた貫通孔に挿通され、第六のナットＮ６を前記雄ねじ部Ｂ６２に螺入して、前記取付部６２と梁材３の上面とが当接されて、複数の踏板５が梁材３に取付けられている。そして、踏板５は、平板状の踏板本体５１と、該踏板本体５１の下面である裏面に長手方向に沿って設けられている踏板受け部５２とを備えており、ドリル状のタッピングねじＴ１を踏板本体５１の上面である表面から踏板本体５１を貫通し踏板受け部５２に至るまで螺入して、踏板本体５１と踏板受け部５２とを固定している。
【００３０】
前記踏板本体５１は、合成樹脂製の横長長方形状の平板であり、表面には間隔をあけて凸部５１１が複数形成されている。この凸部５１１を形成することにより、人が踏板本体５１の表面を踏んだ時、滑らないようになされている。また、前記踏板受け部５２はアルミニウム合金製の押出形材からなり、その下面が円弧状に膨らんで前記踏板本体５１の幅方向に半円状に延びる円弧面５２１となされ、その円弧の終点である上端から上方に側面５２２が立ち上げられ、側面５２２の上端に架け渡されて踏板当接面５２３が形成され、筒状となされている。さらに、前記側面５２２の上部から、縦断面が三角形状に、前記踏板当接面５２３と面一になる様に、拡幅部５２４が突設されている。
【００３１】
そして、前記円弧面５２１を梁材３の上面に当接させて、前記踏板受け部５２が前記踏板取付溝３２に挿入された締結部材である第六のボルトＢ６とそれに固定されている踏板取付金具６を介して、前記梁材３に前記梁材３の長手方向に沿って移動可能に取付けられている。さらに詳細には、踏板取付金具６は、水平な平板状の連結板部６１と、該連結板部６１の一端部から上方に立設された取付板部６２とを備え、Ｌ字状に形成され、連結板部６１の中央には貫通孔が設けられている。
【００３２】
そして、前記踏板取付溝３２に挿入された第六のボルトＢ６のボルト頭Ｂ６１が移動可能に梁材３の端部から挿入され、第六のボルトＢ６の雄ねじ部Ｂ６２が前記踏板取付金具６の取付板部６２に設けられた貫通孔に挿通され、第六のナットＮ６を前記雄ねじ部Ｂ６２に螺入して、前記取付板部６２と梁材３の上面とが当接されて、梁材３に踏板取付金具６が固定されている。
【００３３】
そして、前記連結板部６１が前記踏板受け部５２の円弧面５２１に当接され、連結板部６１と円弧面５２１とにドリル状のタッピングねじＴ２を貫通させて、踏板取付金具６と踏板受け部５２とが固定されている。また、前記踏板本体５１が梁材３の上面と当接している側の踏板本体５１の角部に形成された凹部５１２に、梁材３を貫通する様に、ドリル状のタッピングねじＴ３を螺入して、踏板本体５１と梁材３とが固定されている。この様に、踏板受け部５２が円弧面５２１となされているので、設置面Ｇの傾斜が異なる場所に設置する場合であっても、前記円弧面５２１を傾斜に合せて回動させ、踏板本体５１を設置面Ｇに対して水平に設置することができる。
【００３４】
前記手摺支柱７は、円筒形の鋼管からなり、桁材２の両端部に桁材２に直交する様に並行して取付けられている２本の梁材３の外側に設けられた蟻溝からなる手摺支柱取付溝３３に第五のボルトＢ５のボルト頭が挿入され、第五のボルトＢ５の雄ねじ部Ｂ５２が手摺支柱取付金具９の取付板部９１に設けられた通孔９１１と長孔９１２とに挿通され、第五のナットＮ５を前記雄ねじ部Ｂ５２に螺入して、前記取付板部９１と梁材３の側面とが当接されて、前記手摺支柱取付金具９が、前記手摺支柱取付溝３３に挿入された第五のボルトＢ５を介して、前記梁材３の長手方向に沿って移動可能に取付けられている。そして、前記手摺支柱取付金具９に手摺支柱７が取付けられ、梁材３に手摺支柱７が支持されている。
【００３５】
前記手摺支柱取付金具９は、２個の金具９ａ，９ｂからなり、それぞれの金具に、梁材３の側面に取付けられる平板状の取付板部９１と、該取付板部９１の一端部から突設された支柱支持板部９２とを備え、梁材３に取付けられた状態での平面視でＬ字状に形成されている。
【００３６】
そして、前記支柱支持板部９２の中央には、梁材３に取付けられた状態で上下に２個の貫通孔が設けられている。また、取付板部９１には、前記支柱支持板部９２が突設されている側の反対側端寄りに円形の通孔９１１が設けられ、その支柱支持板部９２側に、梁材３に取付けられた状態で上下に長い長孔９１２が設けられている。この様に、円形の通孔９１１と長孔９１２が設けられることにより、設置面Ｇの傾斜が異なる場所に設置する場合であっても、通孔９１１を軸芯として、手摺支柱取付金具９を回動させ、設置面Ｇの傾斜に対応させることができ、手摺支柱７を設置面Ｇに対して鉛直に設置することができる。
【００３７】
また、前記手摺支柱取付金具９ａ，９ｂの差異は、前記取付板部９１の幅であり、取付板部９１の長い手摺支柱取付金具９ａの取付板部９１ａと、取付板部９１の短い手摺支柱取付金具９ｂの取付板部９１ｂとを重ね合わせ、それぞれの支柱支持板部９２ａ，９２ｂ間で手摺支柱７の側面を挟む様にして、支柱支持板部９２に設けられた２個の貫通孔に手摺支柱固定ボルトＢ７が挿通され、手摺支柱７を貫通され、ナットＮ７が螺着されて、梁材３に手摺支柱７が固定されている。そして、前記手摺支柱７の上端部から下方に向けて４段に、円筒形の鋼管からなる手摺８が手摺取付金具８１を介して、手摺支柱７の側面に取付けられている。
【００３８】
上述の様に、階段構造物Ｐを設置する際には、支柱１と桁材２、及び桁材２と梁材３とが移動可能に取付けられているので、支柱１と桁材２と梁材３との位置を自在に調整することができ、階段構造物Ｐを設置する場所に岩などの障害物が存在し、支柱１を埋設できない場合であっても、その障害物を避けて支柱１を埋設し、階段構造物Ｐを設置することができる。また、前記支柱１の上端に取付けられている第一のボルトＢ１の雄ねじ部Ｂ１１を、支柱１の蓋部１２の下面に取付けられている第一のナットＮ１にねじ込む長さを調整することにより、設置面Ｇから踏板５までの高さを調整することができる。
【００３９】
また図１１に示す様に、設置面Ｇの傾斜が緩い場合には、踏板５の踏板本体５１と踏板受け部５２との位置関係は、踏板本体端部５１２から離れた位置に踏板受け部５２が配置され、設置面Ｇの傾斜が大きくなるに従い、踏板受け部５２が踏板本体端部５１２に近づく位置に配置される。
【００４０】
次に図１２〜１４に示す本発明に係る別の実施形態について説明する。
図１２〜１４に示す実施形態が図１〜１０に示す実施形態と異なるのは、前記支柱１と前記桁材２との取付構造及び前記梁材３と前記手摺支柱７との取付構造であり、その他の構造は同一であるので、説明は省略する。
【００４１】
本実施形態における支柱取付金具１０は、平面視がハット型に形成され、円筒形の前記支柱１の外側面形状に対応して、平板を曲げた平面視が略Ｕ字状の支柱保持部１０３を備え、該支柱保持部１０３の左側の基端部１０４ａから左側に取付板部１０５ａが突設され、前記支柱保持部１０３の右側の基端部１０４ｂから右側に取付板部１０５ｂが突設されている。
【００４２】
そして、前記支柱保持部１０３に前記支柱１の上部外側面１３が当接されるとともに、締結部材である前記第二のボルトＢ２のボルト頭Ｂ２１が２個、前記桁材２の側面に形成されている前記支柱連結溝２２に移動可能に挿入され、前記第二のボルトＢ２の雄ねじ部Ｂ２２が前記支柱取付金具１０の前記取付板部１０５ａ，１０５ｂに設けられた貫通孔にそれぞれ挿通され、２個の前記第二のナットＮ２を前記雄ねじ部Ｂ２２にそれぞれ螺入して、前記取付板部１０５ａ，１０５ｂが前記桁材２の側面に当接され、前記支柱１の上部と前記桁材２とが前記支柱取付金具１０により連結されている。
【００４３】
この様な構造としていることにより、設置面Ｇに岩などの障害物が存在し、前記支柱１を埋設できない場合には、その障害物を避けてずらした位置に前記支柱１を埋設することになるが、上記の通り、前記第二のボルトＢ２のボルト頭Ｂ２１を前記桁材２の前記支柱連結溝２２に移動可能に挿入しているので、適宜移動させながら所望の位置で、前記支柱１と前記桁材２とを取付けることができる。
【００４４】
次に、前記梁材３と前記手摺支柱７との取付構造について説明する。
本実施形態における前記梁材３に前記手摺支柱７を取付ける際に用いられる手摺支柱取付金具９は、前記梁材３の側面に取付けられる平板状の取付板部９１と、該取付板部９１の一端部から突設された支柱支持板部９２とを備え、前記梁材３に取付けられた状態での平面視でＬ字状に形成されている。
【００４５】
前記取付板部９１には通孔９１１が設けられ、該通孔９１１には、前記梁材３の外側に設けられた蟻溝からなる前記手摺支柱取付溝３３にそのボルト頭が挿入された前記第五のボルトＢ５の雄ねじ部Ｂ５２が挿通され、前記第五のナットＮ５が螺着されて、前記梁材３に前記手摺支柱取付金具９が取付けられている。
【００４６】
また、前記支柱支持板部９２には、上下方向に長い長孔９２１が設けられ、後述する前記手摺支柱７の側面に設けられた貫通孔７１と前記長孔９２１とに、前記手摺支柱固定ボルトＢ７が挿通され、前記ナットＮ７が螺着されて、前記手摺支柱取付金具９に前記手摺支柱7が取付けられている。
【００４７】
そして、円筒形の前記手摺支柱７の側面には、前記梁材３の長手方向に設けられた貫通孔７１と、その下方に設けられ、前記梁材３と直交方向に設けられた透孔７２とが備えられている。そして、前記透孔７２には、前記梁材３の外側に設けられた蟻溝からなる前記手摺支柱取付溝３３にそのボルト頭が挿入された前記第五のボルトＢ５の雄ねじ部Ｂ５２が挿通され、前記第五のナットＮ５が螺着されて、前記梁材３に前記手摺支柱７が取付けられて、前記梁材３と前記手摺支柱７とが前記手摺支柱取付金具９を介して、固定されるようになされている。
【００４８】
上述の実施形態においては、手摺支柱７の下部が設置面Ｇに埋設されているが、これに限定されることはなく、手摺支柱７の下部を設置面Ｇに埋設することなく梁材３に取付ける様にしてもよい。また、図１〜３に示す実施形態においては、階段構造物Ｐは設置面Ｇに対して真直ぐな階段として形成されているが、これに限定されることなく、図９，１０に示す実施形態の様に、設置面Ｇに対して正面視において、くの字状の階段として形成してもよく、さらにはジグザグ状に形成してもよい。また本実施形態においては、桁材２と梁材３とが直交されて形成されているが、桁材２と梁材３とが斜めに交差するようになされていてもよい。
【００４９】
さらに、本実施形態においては、支柱１は桁材２の両端部に２個設置されているが、桁材２の中央に１個設置するようにしてもよく、手摺支柱７及び手摺８は桁材２の両端部に設けられているが、片方のみでもよいし、図９，１０に示す形態の様に、設けなくてもよい。
【００５０】
また、本実施形態においては、連結金具４が並設された２本の梁材３の内側面に取付けられ、手摺支柱取付金具９が梁材３の外側面に取付けられているが、これに限定されるものではなく、連結金具４を梁材３の外側面に取付け、手摺支柱取付金具９を梁材３の内側面に取付けてもよいし、どちらも梁材３の内側面もしくは外側面に取付けるようにしてもよい。
【符号の説明】
【００５１】
１…支柱、１１…支柱本体、１２…蓋部、１３…上部外側面、２…桁材、２１…下部蟻溝、２２…支柱連結溝、２３…連結金具連結溝、３…梁材、３１…支柱取付溝、３２…踏板取付溝、３３…手摺支柱取付溝、４…連結金具、４１…連結板部、４２…取付板部、４２ａ…貫通孔、５…踏板、５１…踏板本体、５１１…凸部、５１２…踏板本体端部、５２…踏板受け部、５２１…円弧面、５２２…側面、５２３…踏板当接面、５２４…拡幅部、６…踏板取付金具、６１…連結板部、６２…取付板部、７…手摺支柱、７１…貫通孔、７２…透孔、８…手摺、９…手摺支柱取付金具、９ａ…手摺支柱取付金具、９ｂ…手摺支柱取付金具、９１…取付板部、９１ａ…取付板部、９１ｂ…取付板部、９１１…通孔、９１２…長孔、９２…支柱支持板部、９２ａ…支柱支持板部、９２ｂ…支柱支持板部、９２１…長孔、１０…支柱取付金具、１０１…水平板部、１０２…垂直板部、１０３…支柱保持部、１０４ａ・１０４ｂ…基端、１０５ａ・１０５ｂ…取付板部、Ｐ…階段構造物、Ｇ…設置面、Ｂ１…第一のボルト、Ｂ１１…雄ねじ部、Ｂ１２…  ボルト頭、Ｎ１…第一のナット、Ｂ２…第二のボルト、Ｂ２１…ボルト頭、Ｂ２２…雄ねじ部、Ｎ２…第二のナット、Ｂ３…第三のボルト、Ｂ３１…ボルト頭、Ｂ３２…雄ねじ部、Ｎ３…第三のナット、Ｂ４…第四のボルト、Ｂ４１…ボルト頭、Ｂ４２…雄ねじ部、Ｎ４…第四のナット、Ｂ５…第五のボルト、Ｂ５２…雄ねじ部、Ｎ５…第五のナット、Ｂ６…第六のボルト、Ｂ６１…  ボルト頭、Ｂ６２…雄ねじ部、Ｎ６…第六のナット、Ｂ７…第手摺支柱固定ボルト、Ｎ７…ナット、ＮＫ…固定用ナット、Ｔ１〜３…タッピングねじ
【図１】
2015143461.tif 000003
【図２】
2015143461.tif 000004
【図３】
2015143461.tif 000005
【図４】
2015143461.tif 000006
【図５】
2015143461.tif 000007
【図６】
2015143461.tif 000008
【図７】
2015143461.tif 000009
【図８】
2015143461.tif 000010
【図９】
2015143461.tif 000011
【図１０】
2015143461.tif 000012
【図１１】
2015143461.tif 000013
【図１２】
2015143461.tif 000014
【図１３】
2015143461.tif 000015
【図１４】
2015143461.tif 000016